(57)【要約】【課題】鍵の弱打時における雑音の発生を防止できるとともに、鍵の強打時に、鍵の押鍵エネルギを弦に十分に伝達でき、それにより、楽音のより大きなダイナミックレンジが得られるピアノの鍵盤装置を提供する。【解決手段】鍵盤装置１は、突上げ部３を有する鍵２と、被突上げ部１２ｃを有し、押鍵に伴い、鍵２の突上げ部３で被突上げ部１２ｃを介して突き上げられることで回動するウィッペン１２と、突上げ部１５ａを有し、回動するウィッペン１２と一緒に移動するジャック１５と、被突上げ部２５が設けられ、移動するジャック１５の突上げ部１５ａで被突上げ部２５を介して突き上げられることで回動し、弦Ｓを打弦するハンマー２１を備え、鍵２の突上げ部３、ウィッペン１２の被突上げ部１２ｃ、ジャック１５の突上げ部１５ａ、およびハンマー２１の被突上げ部２５の少なくとも１つが、ダイラタント特性を有する材料で構成されている。【選択図】  図１
2009237138.tif 000002
【特許請求の範囲】
【請求項１】
打弦により弦に楽音を発生させるためのピアノの鍵盤装置であって、
突上げ部を有する揺動自在の鍵と、
被突上げ部を有し、前記鍵の押鍵に伴い、前記鍵の前記突上げ部で前記被突上げ部を介して突き上げられることにより上方に回動するウィッペンと、
突上げ部を有し、前記ウィッペンに設けられ、前記回動するウィッペンと一緒に上方に移動するジャックと、
被突上げ部が設けられ、前記上方に移動するジャックの前記突上げ部で前記被突上げ部を介して突き上げられることにより回動し、前記弦を打弦するハンマーと、を備え、
前記鍵の前記突上げ部、前記ウィッペンの前記被突上げ部、前記ジャックの前記突上げ部、および前記ハンマーに設けられた前記被突上げ部の少なくとも１つが、ダイラタント特性を有する材料で構成されていることを特徴とするピアノの鍵盤装置。
【発明の詳細な説明】
【技術分野】
【０００１】
本発明は、鍵やハンマーを備えるとともに、打弦により弦に楽音を発生させるためのピアノの鍵盤装置に関する。
【背景技術】
【０００２】
従来、この種の鍵盤装置として、例えば特許文献１に開示されたものが知られている。この鍵盤装置は、グランドピアノに適用されたものであり、キャプスタンボタンが取り付けられた揺動自在の鍵と、弦を打弦するためのハンマーと、鍵の押鍵に伴ってハンマーを回動させるアクションを備えている。ハンマーには、シャンクローラが取り付けられており、このシャンクローラは、クロスとその外側のスキンにより円柱状に構成されている。アクションは、回動自在のウィッペンと、このウィッペンに回動自在に設けられたレペティションレバーおよびジャックを有している。
【０００３】
以上の構成の鍵盤装置では、鍵の離鍵時において、鍵には、キャプスタンボタンを介してウィッペンが、レペティションレバーには、シャンクローラを介してハンマーが、それぞれ載置されている。この状態から、鍵が押鍵されると、鍵は、キャプスタンボタンを介して、ウィッペンを突き上げ、それにより、ウィッペンは、レペティションレバーおよびジャックと一緒に、上方に回動する。それに伴い、ジャックは、シャンクローラを介してハンマーを突き上げ、上方に回動させ、それにより、ハンマーが弦を打弦することによって、楽音が発生する。
【０００４】
上述した押鍵時のキャプスタンボタンによるウィッペンの突上げなどに伴って、両者の衝突による雑音が発生することがあるため、それを防止するために、ウィッペンのキャプスタンボタンとの当接部分には一般に、緩衝材、例えばフェルトが貼り付けられている（以下、このフェルトを「ウィッペンヒールクロス」という）。また、上述したシャンクローラも、押鍵時のジャックによる突上げなどに伴って発生する、両者の衝突による雑音を防止するために、クロスやスキンで構成されている。このような雑音は、鍵の強打によって大きな楽音を発生させる場合には、楽音に埋没し、ほとんど問題にはならないものの、鍵の弱打によって小さな楽音を発生させる場合には、特に問題になる。この雑音を防止するには、これらのウィッペンヒールクロスやシャンクローラを、より柔らかい材料で構成するのが好ましい。
【０００５】
しかし、上記のようにウィッペンヒールクロスやシャンクローラを柔らかい材料で構成した場合には、両者の変形により吸収される鍵の押鍵エネルギが大きくなり、すなわち、弦への押鍵エネルギの伝達ロスが大きくなり、押鍵エネルギに対して得られる楽音がより小さくなる。このことは、鍵の強打によって大きな楽音を発生させる場合には、特に顕著になり、その結果、楽音のダイナミックレンジが小さくなり、高い演奏性が得られない。
【０００６】
本発明は、以上のような課題を解決するためになされたものであり、鍵の弱打時における雑音の発生を防止できるとともに、鍵の強打時に、鍵の押鍵エネルギを弦に十分に伝達でき、それにより、ピアノの楽音のより大きなダイナミックレンジを得ることができるピアノの鍵盤装置を提供することを目的とする。
【０００７】
【特許文献１】特開２００３−１０８１１５号
【発明の開示】
【課題を解決するための手段】
【０００８】
上記の目的を達成するため、請求項１に係る発明は、打弦により弦に楽音を発生させるためのピアノの鍵盤装置であって、突上げ部を有する揺動自在の鍵と、被突上げ部を有し、鍵の押鍵に伴い、鍵の突上げ部で被突上げ部を介して突き上げられることにより上方に回動するウィッペンと、突上げ部を有し、ウィッペンに設けられ、回動するウィッペンと一緒に上方に移動するジャックと、被突上げ部が設けられ、上方に移動するジャックの突上げ部で被突上げ部を介して突き上げられることにより回動し、弦を打弦するハンマーと、を備え、鍵の突上げ部、ウィッペンの被突上げ部、ジャックの突上げ部、およびハンマーに設けられた被突上げ部の少なくとも１つが、ダイラタント特性を有する材料で構成されていることを特徴とする。
【０００９】
このピアノの鍵盤装置によれば、鍵の押鍵時、ウィッペンが、その被突上げ部を鍵の突上げ部で突き上げられることにより上方に回動し、このウィッペンの回動に伴い、ジャックがウィッペンと一緒に上方に移動するとともに、ジャックの突上げ部が、ハンマーの被突上げ部を介してハンマーを突き上げることにより、ハンマーが弦を打弦する。このように、押鍵時、鍵の押鍵エネルギが、鍵の突上げ部や、ウィッペンの被突上げ部、ジャックの突上げ部、ハンマーの被突上げ部を介して、弦に伝達される。
【００１０】
また、上述した構成によれば、鍵の突上げ部、ウィッペンの被突上げ部、ジャックの突上げ部、およびハンマーの被突上げ部の少なくとも１つ（以下「少なくとも１つの要素」という）が、ダイラタント特性を有する材料で構成されている。ここで、ダイラタント特性を有する材料とは、外力が急激に作用したときに剛くなり、それ以外のときには柔らかい状態になるという特性を有する材料である。鍵の弱打時には、鍵やジャックによる突上げ力が急激には作用しないため、上述した構成により、少なくとも１つの要素が柔らかい状態に保持される。これにより、鍵の弱打時、少なくとも１つの要素に対応する上記の突上げ部と被突上げ部の間の衝突による雑音の発生を防止することができる。また、鍵の強打時には、鍵やジャックによる突上げ力が急激に作用するため、上述した構成により、少なくとも１つの要素が剛くなる。これにより、鍵の強打時、鍵の押鍵エネルギを弦にロスなく十分に伝達でき、それにより、ピアノの楽音のより大きなダイナミックレンジを得ることができる。
【発明を実施するための最良の形態】
【００１１】
以下、図面を参照しながら、本発明の好ましい実施形態について説明する。図１は、本発明の第１実施形態による鍵盤装置１を、弦Ｓとともに概略的に示している。この鍵盤装置１は、アコースティックタイプのグランドピアノに適用されたものであり、図１に示すように、多数の鍵２と、鍵２ごとに設けられた、弦Ｓを打弦するための多数のハンマー２１（いずれも１つのみ図示）と、鍵２の押鍵に伴ってハンマー２１を回動させるアクション１１を備えている。以下の説明では、グランドピアノを演奏者から見た場合の手前側（図１の右側）を「前」、奥側（図１の左側）を「後」とし、鍵２の並び方向（図１の奥行き方向）を「左右方向」とする。
【００１２】
鍵２は、前後方向に延びており、そのほぼ中央において、筬に立設されたバランスピン（いずれも図示せず）に、揺動自在に支持されている。また、鍵２の上面の後部には、真鍮で構成されたキャプスタンボタン３（突上げ部）が立設されている。この筬の左右端部にはそれぞれ、アクション１１やハンマー２１を取り付けるためのブラケット３１（図１に一方のみ図示）が設けられている。これらの左右のブラケット３１，３１の間には、ウィッペンレール３２およびハンマーシャンクレール３３が渡されており、両者３２，３３は左右方向に長く延びている。
【００１３】
アクション１１は、左右方向に延びており、上記の左右のブラケット３１，３１の間で、かつ、鍵２の上方に配置されている。また、アクション１１は、鍵２ごとに設けられた多数のウィッペン１２、レペティションレバー１４およびジャック１５を有している（いずれも１つのみ図示）。ウィッペン１２は、ＡＢＳ樹脂などの合成樹脂で構成されており、前後方向に延びる本体部と、その中央から下方に延びるヒール部１２ａを一体に有している。図２に示すように、このヒール部１２ａの底面の中央部は若干、凹んだ凹部１２ｂになっており、この凹部１２ｂには、被突上げ部１２ｃが取り付けられている。
【００１４】
この被突上げ部１２ｃは、内側の中芯１２ｄと、その下側に設けられた表皮１２ｅを有している。この中芯１２ｄは、ダイラタント特性を有する材料、例えば、ｄ３ｏｌａｂ社から販売されている「ｄ３ｏ」で構成されている。また、中芯１２ｄは、上記の凹部１２ｂに部分的に設けられ、その中央に配置されている。上記の表皮１２ｅは、比較的柔らかいフェルトで構成されており、中芯１２ｄを覆った状態で凹部１２ｂに全体的に設けられている。
【００１５】
また、ウィッペン１２は、その後端部において、上記のウィッペンレール３２にねじ止めしたウィッペンフレンジ１３に回動自在に取り付けられている。ウィッペン１２は、鍵２の離鍵状態では、被突上げ部１２ｃを介して、対応する鍵２に設けられたキャプスタンボタン３に載っており、この状態では、キャプスタンボタン３および中芯１２ｄは、互いに対向している。さらに、ウィッペン１２には、離鍵時にレペティションレバー１４およびジャック１５を復帰回動させるためのレペティションスプリング１６が取り付けられている。
【００１６】
レペティションレバー１４は、上述したウィッペン１２と同様、ＡＢＳ樹脂などの合成樹脂で構成されており、断面が矩形状で、斜め前上がりに前後方向に延びている。また、レペティションレバー１４は、その中央部において、ウィッペン１２に回動自在に連結されている。さらに、レペティションレバー１４の前部の所定位置には、上下方向に貫通する案内孔１４ａが前後方向に延びるように形成されており、この案内孔１４ａよりも前側の上面には、レバースキン１４ｂが貼り付けられている。
【００１７】
ジャック１５は、ウィッペン１２と同様、ＡＢＳ樹脂などの合成樹脂で構成されており、上下方向に延びる断面矩形の突上げ部１５ａと、その下端部から前方にほぼ直角に延びるボタン当接部１５ｂとから、Ｌ字状に形成されている。また、ジャック１５は、突上げ部１５ａとボタン当接部１５ｂとの角部において、ウィッペン１２の前端部に回動自在に取り付けられている。突上げ部１５ａの上端部は、上述したレペティションレバー１４の案内孔１４ａに、前後方向に移動自在に係合している。
【００１８】
また、前記ハンマーシャンクレール３３の下面には、レギュレーティングレール３４がねじ止めされており、このレギュレーティングレール３４の下面に、ジャック１５の上方への移動を規制するためのレギュレーティングボタン３５が、進退自在に螺合している。このレギュレーティングボタン３５は、離鍵状態では、ジャック１５のボタン当接部１５ｂの前端部と所定の間隔をもって対向している。
【００１９】
ハンマー２１は、前後方向に延びるハンマーシャンク２２と、その先端に取り付けたハンマーヘッド２３などで構成されており、ハンマーシャンク２２の基端部において、ハンマーシャンクレール３３にねじ止めしたハンマーシャンクフレンジ２４に回動自在に取り付けられている。このハンマーシャンクフレンジ２４の下面には、レペティションレバー１４の上方への移動を規制するためのドロップスクリュー２６が進退自在に螺合している。このドロップスクリュー２６は、離鍵状態では、レバースキン１４ｂが貼り付けられたレペティションレバー１４の前端部と所定の間隔をもって対向している。
【００２０】
また、上記のハンマーシャンク２２の下面前部の所定位置には、シャンクローラ２５（被突上げ部）が取り付けられている。このシャンクローラ２５は、図３に示すように、板状のローラ芯２５ａと、このローラ芯２５ａに設けられた中芯２５ｂおよび表皮２５ｃから成る円柱状のローラを有している。この中芯２５ｂは、前述したウィッペン１２の中芯１２ｄと同様、ダイラタント特性を有する材料で構成されている。また、中芯２５ｂは、ローラ芯２５ａに、その上部を残して表裏の両面をくるむように巻かれた状態で貼り付けられている。上記の表皮２５ｃは、ポリエステルをベースにした比較的柔らかい人工皮革で構成されている。また、表皮２５ｃは、中芯２５ｂの周面全体を覆うとともに、ローラ芯２５ａの表裏の両面をその上端部を残してくるんだ状態で、中芯２５ｂおよびローラ芯２５ａに貼り付けられている。ローラ芯２５ａ、中芯２５ｂおよび表皮２５ｃの左右方向の幅は、互いに同じ大きさに設定されている。
【００２１】
以上の構成のシャンクローラ２５は、ローラ芯２５ａの上端部をハンマーシャンク２２に形成された取付溝２２ａにはめ込み、接着することによって、ハンマーシャンク２２に取り付けられている。また、離鍵状態では、シャンクローラ２５は、レペティションレバー１４の上面に、案内孔１４ａをまたいだ状態で載っており、前述したジャック１５の突上げ部１５ａと微小な間隔をもって対向している。さらに、この場合、シャンクローラ２５の中芯２５ｂは、突上げ部１５ａの延長線上に位置している。
【００２２】
次に、以上の構成の鍵盤装置１の押鍵の開始から終了までの一連の動作について説明する。図１に示す離鍵状態から鍵２が押鍵されると、鍵２はバランスピンを支点として揺動し、ウィッペン１２は、その被突上げ部１２ｃを介して、鍵２のキャプスタンボタン３で突き上げられることにより、上方に回動する。それに伴い、レペティションレバー１４およびジャック１５がウィッペン１２と一緒に上方に移動し、レペティションレバー１４は、シャンクローラ２５を摺動させながらハンマー２１を押し上げ、上方に回動させる。
【００２３】
そして、レペティションレバー１４が、ドロップスクリュー２６に係合することにより、ウィッペン１２に対して回動することによって、ジャック１５の突上げ部１５ａが、レペティションレバー１４に対して上方に突出し、シャンクローラ２５を介してハンマー２１を突き上げる。その後、ハンマー２１が、上方に張られた弦Ｓを打弦する直前まで回動した時点で、ジャック１５は、そのボタン当接部１５ｂがレギュレーティングボタン３５に係合することにより、ウィッペン１２に対して回動し、その突上げ部１５ａがシャンクローラ２５から抜ける。これにより、ハンマー２１は、アクション１１および鍵２との連結を解かれ、自由回動状態で弦Ｓを打弦し、その結果、楽音が発生する。
【００２４】
さらにその後、押鍵が終了し、鍵２が離鍵されると、レペティションスプリング１６の付勢力により、レペティションレバー１４が、離鍵時の元の位置に復帰回動し、シャンクローラ２５を摺動させながらこれを押し上げる。それに伴い、ジャック１５が、レペティションスプリング１６の付勢力により、離鍵時の元の位置に復帰回動し、元の位置に戻ることによって、鍵２が完全に戻らなくても、次の打弦を確実に行うことが可能になる。以上のように、ウィッペン１２や、鍵２、ハンマー２１が元の離鍵状態に復帰することによって、押鍵の開始から終了までの一連の動作が終了する。
【００２５】
以上のように、本実施形態によれば、ウィッペン１２の被突上げ部１２ｃの中芯１２ｄおよびシャンクローラ２５の中芯２５ｂが、ダイラタント特性を有する材料で構成されているので、鍵２の弱打時において、鍵２のキャプスタンボタン３と被突上げ部１２ｃの間、およびジャック１５の突上げ部１５ａとシャンクローラ２５の間での衝突による雑音の発生を防止することができる。同じ理由により、鍵２の強打時において、鍵２の押鍵エネルギを弦Ｓにロスなく十分に伝達でき、それにより、ピアノの楽音のより大きなダイナミックレンジを得ることができる。また、中芯１２ｄが、離鍵時にキャプスタンボタン３に対向するように配置されるとともに、中芯２５ｂが、離鍵時に突上げ部１５ａの延長線上に位置するように配置されているので、上述した効果をより有効に得ることができる。
【００２６】
さらに、キャプスタンボタン３およびジャック１５の突上げ部１５ａにそれぞれ、ダイラタント特性を有する材料で構成された中芯１２ｄおよび２５ｂが直接、当接するのではなく、フェルトおよび人工皮革でそれぞれ構成された表皮１２ｅおよび２５ｃが直接、当接しているので、中芯１２ｄ，２５ｂの摩擦抵抗が大きい場合でも、キャプスタンボタン３および突上げ部１５ａとの摩擦抵抗を抑えることができる。また、表皮１２ｅおよび２５ｃが柔らかいフェルトおよび人工皮革でそれぞれ構成されているので、衝突による雑音の発生を確実に防止することができる。
【００２７】
なお、上述した第１実施形態において、被突上げ部１２ｃの中芯１２ｄに加え、表皮１２ｅをダイラタント特性を有する材料で構成してもよく、また、シャンクローラ２５の中芯２５ｂに加え、表皮２５ｃをダイラタント特性を有する材料で構成してもよい。さらに、被突上げ部１２ｃを剛性が比較的高い材料、例えば合成樹脂などで構成するとともに、被突上げ部１２ｃとのキャプスタンボタン３の当接部を、ダイラタント特性を有する材料で構成してもよく、あるいは、被突上げ部１２ｃおよびキャプスタンボタン３の互いの当接部の双方を、ダイラタント特性を有する材料で構成してもよい。この場合にも、中芯１２ｄおよび／または表皮１２ｅをダイラタント特性を有する材料で構成してもよいことは、もちろんである。
【００２８】
また、シャンクローラ２５を剛性が比較的高い材料、例えば合成樹脂などで構成するとともに、シャンクローラ２５とのジャック１５の突上げ部１５ａの当接部を、ダイラタント特性を有する材料で構成してもよく、あるいは、シャンクローラ２５および突上げ部１５ａの互いの当接部の双方を、ダイラタント特性を有する材料で構成してもよい。この場合にも、中芯２５ｂおよび／または表皮２５ｃをダイラタント特性を有する材料で構成してもよいことは、もちろんである。
【００２９】
次に、図４を参照しながら、本発明の第２実施形態による鍵盤装置５１について説明する。この鍵盤装置５１は、アコースティックタイプのアップライトピアノに適用されたものであり、図４に示すように、多数の鍵５２と、鍵５２ごとに設けられた、弦Ｓを打弦するための多数のハンマー７１（いずれも１つのみ図示）と、鍵５２の押鍵に伴ってハンマー７１を回動させるアクション６１を備えている。以下の説明では、アップライトピアノを演奏者から見た場合の手前側（図４の右側）を「前」、奥側（図４の左側）を「後」とし、鍵５２の並び方向（図４の奥行き方向）を「左右方向」とする。
【００３０】
鍵５２は、前後方向に延びており、そのほぼ中央において、棚板８１上のバランスレール８２に立設されたバランスピン８２ａに、揺動自在に支持されている。また、鍵５２の上面の後端部には、合成樹脂で構成されたキャプスタンボタン５３（突上げ部）が立設されている。この棚板８１の後端部の左右の端部にはそれぞれ、アクション６１やハンマー７１を取り付けるためのブラケット８３が設けられている（１つのみ図示）。これらの左右のブラケット８３，８３の間には、センターレール８４やハンマーレール８５が渡されており、両者８４，８５は左右方向に長く延びている。
【００３１】
アクション６１は、左右方向に延びており、上記の左右のブラケット８３，８３の間で、かつ、鍵５２の上方に配置されている。また、アクション６１は、鍵５２ごとに設けられた多数のウィッペン６２、ジャック６４およびバット６６を有している（いずれも１つのみ図示）。ウィッペン６２は、第１実施形態と同様、ＡＢＳ樹脂などの合成樹脂で構成されており、前後方向に延びる本体部と、その前部から下方に延びるヒール部６２ａを一体に有している。図５に示すように、このヒール部６２ａの底面の中央部は若干、凹んだ凹部６２ｂになっており、この凹部６２ｂには、被突上げ部６２ｃが取り付けられている。
【００３２】
この被突上げ部６２ｃは、内側の中芯６２ｄと、その下側に設けられた表皮６２ｅを有している。この中芯６２ｄは、前述した第１実施形態のウィッペン１２の中芯１２ｄと同様、ダイラタント特性を有する材料で構成され、上記の凹部６２ｂに部分的に設けられており、その中央に配置されている。上記の表皮６２ｅは、フェルトで構成されており、中芯６２ｄを覆った状態で凹部６２ｂに全体的に設けられている。
【００３３】
また、ウィッペン６２は、その後部において、上記のセンターレール８４にねじ止めしたウィッペンフレンジ６３に回動自在に取り付けられている。ウィッペン６２は、離鍵状態では、被突上げ部６２ｃを介して、対応する鍵５２に設けられたキャプスタンボタン５３に載っており、この状態では、キャプスタンボタン５３および中芯６２ｄは、互いに対向している。
【００３４】
ジャック６４は、ウィッペン６２と同様、ＡＢＳ樹脂などの合成樹脂で構成されており、前後方向に延びる基部６４ａと、基部６４ａの後端部から上方に延びる、基部６４ａよりも長い突上げ部６４ｂとから、Ｌ字形に形成されている。また、ジャック６４は、基部６４ａと突上げ部６４ｂとの角部において、ウィッペン６２の前部に回動自在に取り付けられている。さらに、ジャック６４の基部６４ａとウィッペン６２の間には、離鍵時にジャック６４を復帰回動させるためのジャックスプリング６５が設けられている。
【００３５】
また、センターレール８４には、複数のレギュレティングブラケット８６（１つのみ図示）を介して、左右方向に延びるレギュレティングレール８７が取り付けられている。このレギュレティングレール８７の下面には、ジャック６４の上方の移動を規制するためのレギュレティングボタン８８が、鍵５２ごとに取り付けられている（１つのみ図示）。このレギュレティングボタン８８は、離鍵状態では、ジャック６４の基部６４ａと所定の間隔をもって対向している。
【００３６】
バット６６は、ウィッペン６２と同様、ＡＢＳ樹脂などの合成樹脂で構成されており、その上面に、ハンマー７１が立設されている。バット６６の背面の上端部には、離鍵時にバット６６をハンマー７１とともに復帰回動させるためのバットスプリング６６ｆが取り付けられている。また、図６に示すように、バット６６の下面の前端部は、若干、凹んだ凹部６６ａになっており、この凹部６６ａには、被突上げ部６６ｂが取り付けられている。
【００３７】
この被突上げ部６６ｂは、内側の第１中芯６６ｃおよび第２中芯６６ｄと、その下側に設けられた表皮６６ｅを有している。第１中芯６６ｃは、上述したウィッペン６２の中芯６２ｄと同様、ダイラタント特性を有する材料で構成されており、上記の凹部６６ａの後部に設けられている。上記の第２中芯６６ｄは、フェルトで構成され、凹部６６ａの前部に設けられており、表皮６６ｅは、ポリエステルをベースにした人工皮革で構成され、第１および第２の中芯６６ｃ，６６ｄを覆った状態で凹部６６ａに全体的に設けられている。
【００３８】
また、バット６６は、その背面側の下端部において、センターレール８４の上端部に固定されたバットフレンジ６７に、回動自在に取り付けられている。さらに、バット６６は、離鍵状態では、上記の被突上げ部６６ｂを介して、ジャック６４の突上げ部６４ｂが下方から係合することによって、ハンマー７１とともに静止した状態になっている。この状態では、突上げ部６４ｂおよび被突上げ部６６ｂの第１中芯６６ｃは互いに対向している。
【００３９】
ハンマー７１は、ハンマーシャンク７２およびハンマーヘッド７３を有している。ハンマーシャンク７２は、一定径の円形の断面を有する細長い棒状のものであり、上述したバット６６の上面に立設され、上下方向に延びている。ハンマーヘッド７３は、ハンマーシャンク７２の上端部に設けられている。また、ハンマー７１は、離鍵状態では、ハンマーシャンク７２が前述したハンマーレール８５に後方から当接するとともに、ハンマーヘッド７３が弦Ｓに対向している。
【００４０】
次に、以上の構成の鍵盤装置５１の押鍵の開始から終了までの一連の動作について説明する。図４に示す離鍵状態から鍵５２が押鍵されると、鍵５２はバランスピン８２ａを支点として揺動し、ウィッペン６２は、その被突上げ部６２ｃを介して、鍵５２のキャプスタンボタン５３で突き上げられることにより、上方に回動する。それに伴い、ジャック６４は、ウィッペン６２と一緒に上方に移動し、その突上げ部６４ｂが、バット６６の被突上げ部６６ｂを介してハンマー７１を突き上げ、それにより、ハンマー７１は、後方の弦Ｓに向かって回動する。
【００４１】
そして、ウィッペン６２がさらに回動するのに従い、ジャック６４は、レギュレティングボタン８８で上方への移動が規制されることによって、ウィッペン６２に対して回動する。これにより、ジャック６４の突上げ部６４ｂがバット６６から前方に外れ、ジャック６４がハンマー７１から離脱することによって、ハンマー７１は、自由回動状態で弦Ｓを打弦し、その結果、楽音が発生する。
【００４２】
その後、押鍵が終了し、鍵５２が離鍵されると、鍵５２およびウィッペン６２は、押鍵時とは逆方向にそれぞれ回動する。それに伴い、ジャック６４およびバット６６はそれぞれ、ジャックスプリング６５およびバットスプリング６６ｆの付勢力により離鍵時の元の位置に復帰回動するとともに、ハンマーシャンク７２がハンマーレール８５に当接する。この場合、ジャック６４は、その突上げ部６４ｂの上端の後ろ側の角部がバット６６の被突上げ部６６ｂの前端部に当たった後、被突上げ部６６ｂの下面に沿って後方に摺動して、バット６６の下側に入り込み、これと係合することによって、離鍵時の元の位置に復帰する。以上のように、ウィッペン６２や、鍵５２、ハンマー７１が元の離鍵状態に復帰することによって、押鍵の開始から終了までの一連の動作が終了する。
【００４３】
以上のように、本実施形態によれば、ウィッペン６２の被突上げ部６２ｃの中芯６２ｄおよびバット６６の被突上げ部６６ｂの第１中芯６６ｃが、ダイラタント特性を有する材料で構成されているので、鍵５２の弱打時において、鍵５２のキャプスタンボタン５３と被突上げ部６２ｃの間、およびジャック６４の突上げ部６４ｂと被突上げ部６６ｂの間での衝突による雑音の発生を防止することができる。同じ理由により、鍵５２の強打時において、鍵５２の押鍵エネルギを弦Ｓにロスなく十分に伝達でき、それにより、ピアノの楽音のより大きなダイナミックレンジを得ることができる。また、中芯６２ｄおよび第１中芯６６ｃが、離鍵時にキャプスタンボタン５３および突上げ部６４ｂにそれぞれ対向するように配置されているので、上述した効果をより有効に得ることができる。
【００４４】
さらに、キャプスタンボタン５３およびジャック６４の突上げ部６４ｂにそれぞれ、ダイラタント特性を有する材料で構成された中芯６２ｄおよび第１中芯６６ｃが直接、当接するのではなく、フェルトおよび人工皮革でそれぞれ構成された表皮６２ｅおよび６６ｅが直接、当接しているので、中芯６２ｄおよび第１中芯６６ｃの摩擦抵抗が大きい場合でも、キャプスタンボタン５３および突上げ部６４ｂとの摩擦抵抗を抑えることができる。また、表皮６２ｅおよび６６ｅが柔らかいフェルトおよび人工皮革でそれぞれ構成されているので、衝突による雑音の発生を確実に防止することができる。さらに、離鍵時のジャック６４の復帰回動の際、その突上げ部６４ｂが当たる被突上げ部６６ｂの前端部の内側に、柔らかいフェルトで構成された第２中芯６６ｄが設けられているので、離鍵時における両者６４ｂ，６６ｂの衝突による雑音の発生を確実に防止することができる。
【００４５】
なお、上述した第２実施形態において、被突上げ部６２ｃの中芯６２ｄに加え、表皮６２ｅをダイラタント特性を有する材料で構成してもよく、また、被突上げ部６６ｂの第１中芯６６ｃに加え、第２中芯６６ｄおよび／または表皮６６ｅを、ダイラタント特性を有する材料で構成してもよい。さらに、ウィッペン６２の被突上げ部６２ｃを剛性が比較的高い材料、例えば合成樹脂などで構成するとともに、被突上げ部６２ｃとのキャプスタンボタン５３の当接部を、ダイラタント特性を有する材料で構成してもよく、あるいは、被突上げ部６２ｃおよびキャプスタンボタン５３の互いの当接部の双方を、ダイラタント特性を有する材料で構成してもよい。この場合にも、中芯６２ｄおよび／または表皮６２ｅをダイラタント特性を有する材料で構成してもよいことは、もちろんである。
【００４６】
また、バット６６の被突上げ部６６ｂを剛性が比較的高い材料、例えば合成樹脂などで構成するとともに、被突上げ部６６ｂとのジャック６４の突上げ部６４ｂの当接部を、ダイラタント特性を有する材料で構成してもよく、あるいは、被突上げ部６６ｂおよび突上げ部６４ｂの互いの当接部の双方を、ダイラタント特性を有する材料で構成してもよい。この場合にも、第１中芯６６ｃ、第２中芯６６ｄおよび表皮６６ｅの少なくとも１つをダイラタント特性を有する材料で構成してもよいことは、もちろんである。
【００４７】
なお、本発明は、説明した実施形態に限定されることなく、種々の態様で実施することができる。例えば、ダイラタント特性を有する材料として、「ｄ３ｏ」を用いているが、ダイラタント特性を有していれば、他の任意の材料を用いてもよいことはもちろんである。また、本実施形態は、本発明をアコースティックタイプのピアノに適用した例であるが、本発明は、ウィッペンやジャックを備える電子ピアノにも適用可能である。その他、本発明の趣旨の範囲内で、細部の構成を適宜、変更することが可能である。
【図面の簡単な説明】
【００４８】
【図１】第１実施形態による鍵盤装置を、弦とともに離鍵状態について概略的に示す断面図である。
【図２】図１のウィッペンの部分拡大図である。
【図３】図１のシャンクローラなどの拡大図である。
【図４】第２実施形態による鍵盤装置を、弦とともに離鍵状態について概略的に示す断面図である。
【図５】図４のウィッペンの部分拡大図である。
【図６】図４のバットなどの部分拡大図である。
【符号の説明】
【００４９】
１  鍵盤装置
２  鍵
３  キャプスタンボタン（突上げ部）
Ｓ  弦
１２  ウィッペン
１２ｃ  被突上げ部
１５  ジャック
１５ａ  突上げ部
２１  ハンマー
２５  シャンクローラ（被突上げ部）
５１  鍵盤装置
５２  鍵
５３  キャプスタンボタン（突上げ部）
６２  ウィッペン
６２ｃ  被突上げ部
６４  ジャック
６４ｂ  突上げ部
６６ｂ  被突上げ部
７１  ハンマー
【図１】
2009237138.tif 000003
【図２】
2009237138.tif 000004
【図３】
2009237138.tif 000005
【図４】
2009237138.tif 000006
【図５】
2009237138.tif 000007
【図６】
2009237138.tif 000008